(57)【要約】      （修正有）【課題】ＩＰ網を使用したファクシミリ通信を適切に行えるようにする構内交換機を提供する。【解決手段】ファクシミリ装置をＩＰ網へ接続するＶｏＩＰゲートウェイ機能と、内線側に接続される複数のファクシミリ装置ＦＸとの間でローカルにファクシミリ通信するファクシミリ通信機能を備えた構内交換機であって、ＩＰ網に接続する際に適用される複数の通信情報を記憶した通信情報記憶手段を備え、内線側のファクシミリ装置が所定の通信情報取得用番号へ発呼したことを検出すると、当該発呼に着呼応答し、発呼側のファクシミリ装置との間で所定のファクシミリポーリング通信手順を適用して、前記通信情報記憶手段に記憶した前記複数の通信情報を表示した画像に基づいて作成した通信情報通知画情報を、発呼側のファクシミリ装置へ送信する。【選択図】図１
2008131146.tif 000002
【特許請求の範囲】
【請求項１】
ファクシミリ装置をＩＰ網へ接続するＶｏＩＰゲートウェイ機能と、内線側に接続される複数のファクシミリ装置ＦＸとの間でローカルにファクシミリ通信するファクシミリ通信機能を備えた構内交換機であって、
ＩＰ網に接続する際に適用される複数の通信情報を記憶した通信情報記憶手段を備え、
内線側のファクシミリ装置が所定の通信情報取得用番号へ発呼したことを検出すると、当該発呼に着呼応答し、発呼側のファクシミリ装置との間で所定のファクシミリポーリング通信手順を適用して、前記通信情報記憶手段に記憶した前記複数の通信情報を表示した画像に基づいて作成した通信情報通知画情報を、発呼側のファクシミリ装置へ送信することを特徴とした構内交換機。
【請求項２】
ファクシミリ装置をＩＰ網へ接続するＶｏＩＰゲートウェイ機能と、内線側に接続される複数のファクシミリ装置との間でローカルにファクシミリ通信するファクシミリ通信機能を備えた構内交換機であって、
ＩＰ網に接続する際に適用される複数の通信情報を記憶した通信情報記憶手段を備え、
内線側のファクシミリ装置が所定の通信情報取得用番号へ発呼したことを検出すると、当該発呼に着呼応答し、発呼側のファクシミリ装置との間で交換するＶ．８モデム信号を用いて、前記通信情報記憶手段に記憶した前記複数の通信情報を発呼側のファクシミリ装置へ送信することを特徴とした構内交換機。
【発明の詳細な説明】
【技術分野】
【０００１】
本発明は、ファクシミリ装置をＩＰ網へ接続するＶｏＩＰゲートウェイ機能と、内線側に接続される複数のファクシミリ装置ＦＸとの間でローカルにファクシミリ通信するファクシミリ通信機能を備えた構内交換機に関する。
【背景技術】
【０００２】
近年、インターネット等のＩＰ網を利用したファクシミリ通信が増えている。このようなファクシミリ通信の一形態として、例えば、構内交換機でアナログ回線とＩＰ網をゲートウェイする方式などがある。この場合はＩＰ網におけるパケットの遅延や損失、帯域（通信速度）等がネックになって、適切にファクシミリ通信できないという事態を生じることがあった。
【０００３】
かかる事態に対処するためには、例えば、特許文献１のように、Ｖ．３４モデムを適用した際に設定された求めたプリエンファシス値を、Ｖ．１７モデムでも利用することが考えられる。
【特許文献１】特開２００６−２２９３７０号公報
【発明の開示】
【発明が解決しようとする課題】
【０００４】
しかしながら、特許文献１の場合、ＩＰ網に接続した場合のパケットの損失、帯域、遅延等を考慮していないため、適切なファクシミリ通信を行えない問題があった。
【０００５】
本発明は、かかる実情に鑑みてなされたものであり、ＩＰ網を使用したファクシミリ通信を適切に行えるようにする構内交換機を提供すること目的とする。
【課題を解決するための手段】
【０００６】
本発明は、ファクシミリ装置をＩＰ網へ接続するＶｏＩＰゲートウェイ機能と、内線側に接続される複数のファクシミリ装置ＦＸとの間でローカルにファクシミリ通信するファクシミリ通信機能を備えた構内交換機であって、ＩＰ網に接続する際に適用される複数の通信情報を記憶した通信情報記憶手段を備え、内線側のファクシミリ装置が所定の通信情報取得用番号へ発呼したことを検出すると、当該発呼に着呼応答し、発呼側のファクシミリ装置との間で所定のファクシミリポーリング通信手順を適用して、前記通信情報記憶手段に記憶した前記複数の通信情報を表示した画像に基づいて作成した通信情報通知画情報を、発呼側のファクシミリ装置へ送信するようにしたものである。
【０００７】
また、ファクシミリ装置をＩＰ網へ接続するＶｏＩＰゲートウェイ機能と、内線側に接続される複数のファクシミリ装置ＦＸとの間でローカルにファクシミリ通信するファクシミリ通信機能を備えた構内交換機であって、ＩＰ網に接続する際に適用される複数の通信情報を記憶した通信情報記憶手段を備え、内線側のファクシミリ装置が所定の通信情報取得用番号へ発呼したことを検出すると、当該発呼に着呼応答し、発呼側のファクシミリ装置ＦＸとの間で交換するＶ．８モデム信号を用いて、前記通信情報記憶手段に記憶した前記複数の通信情報を発呼側のファクシミリ装置へ送信するようにしたものである。
【発明の効果】
【０００８】
したがって、本発明によれば、ファクシミリ通信に必要な通信情報をファクシミリ装置がレポート（画情報）として受け取るので、ファクシミリ装置のユーザ（保守管理者など）は、通信パラメータ設定を正しく行うことができ、その結果、ＩＰ網を用いた場合でも最適なファクシミリ通信をすることができるという効果を得る。
【０００９】
また、ファクシミリ通信に必要な通信情報をファクシミリ装置が受け取るので、ファクシミリ装置は、通信パラメータ設定を正しく行うことができ、その結果、ＩＰ網を用いた場合でも最適なファクシミリ通信をすることができるという効果を得る。
【発明を実施するための最良の形態】
【００１０】
以下、添付図面を参照しながら、本発明の実施の形態を詳細に説明する。
【００１１】
図１は、本発明の一実施例にかかるファクシミリ通信システムの一例を示している。
【００１２】
この場合、構内交換機ＰＡの内線側に複数のファクシミリ装置ＦＡ１〜ＦＡｎが接続されるとともに、構内交換機ＰＢの内線側に複数のファクシミリ装置ＦＢ１〜ＦＢｎが接続され、構内交換機ＰＡと構内交換機ＰＢとは、ＩＰ網ＮＴを介して接続されている。すなわち、構内交換機ＰＡ，ＰＢの外線は、ＩＰ網ＮＴが適用されている。
【００１３】
また、構内交換機ＰＡは、内線側に接続されている複数のファクシミリ装置ＦＡ１〜ＦＡｎを外線であるＩＰ網ＮＴに接続する際のＶｏＩＰゲートウェイ機能と、複数のファクシミリ装置ＦＡ１〜ＦＡｎとローカルにファクシミリ通信するファクシミリ通信機能を備えている。
【００１４】
同様に、構内交換機ＰＢは、内線側に接続されている複数のファクシミリ装置ＦＢ１〜ＦＢｎを外線であるＩＰ網ＮＴに接続する際のＶｏＩＰゲートウェイ機能と、複数のファクシミリ装置ＦＢ１〜ＦＢｎとローカルにファクシミリ通信するファクシミリ通信機能を備えている。
【００１５】
図２は、ファクシミリ装置ＦＸ（ＦＡ１〜ＦＡｎ，ＦＢ１〜ＦＢｎ）の構成の一例を示している。
【００１６】
同図において、システム制御部１は、このファクシミリ装置ＦＸの各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリ装置ＦＸに固有な各種の情報を記憶するためのものであり、時計回路４は、現在時刻情報を出力するためのものである。
【００１７】
スキャナ５は、所定の解像度で原稿画像を読み取るためのものであり、プロッタ６は、所定の解像度で画像を記録出力するためのものであり、操作表示部７は、このファクシミリ装置ＦＸを操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２０】
網制御装置１１は、このファクシミリ装置ＦＸをアナログ公衆網（この場合は、構内交換機ＰＸ（ＰＡ，ＰＢ））に接続するためのものであり、自動発着信機能を備えている。
【００２１】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２２】
また、網制御装置１１とグループ３ファクシミリモデム１０との間のデータのやりとりは、直接行なわれている。
【００２３】
図３（ａ）は、構内交換機ＰＸ（ＰＡ，ＰＢ）の構成の一例を示している。
【００２４】
同図において、システム制御部２１は、この構内交換機ＰＸの各部の制御処理、構内交換処理、ＶｏＩＰゲートウェイ処理、および、所定のグループ３ファクシミリ伝送制御手順処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、この構内交換機ＰＸに固有な各種の情報を記憶するためのものであり、時計回路４は、現在時刻情報を出力するためのものである。
【００２５】
また、操作表示部２５は、この構内交換機ＰＸを操作するためのもので、各種の操作キー、および、各種の表示器からなる。また、ＩＰ網インタフェースユニット２６は、この構内交換機ＰＸを外線のＩＰ網ＮＴへ接続するためのものであり、複数のアナログインタフェースユニットＡＦ１〜ＡＦｎは、内線側のファクシミリ装置ＦＸを接続するためのものである。
【００２６】
図３（ｂ）は、アナログインタフェースユニットＡＦ（ＡＦ１〜ＡＦｎ）の構成例を示している。
【００２７】
このアナログインタフェースユニットＡＦは、内線側のファクシミリ装置ＦＸとの間でファクシミリ通信を行うために用いられるグループ３ファクシミリモデム３０と、内線側のファクシミリ装置ＦＸを接続するための網制御装置３１から構成される。
【００２８】
また、ファクシミリ通信で適用される通信情報の一例を図４に示す。
【００２９】
この通信情報は、送信レベル、高域補正、Ｔ４タイマ、パケットロス、最高モデムの５つが含まれる。
【００３０】
ここで、送信レベルは、モデムの送出レベルを示す。レベルが高ければ高速で通信しやすくなるが、信号レベルが過剰に補正されると通信ができなくなることがある。
【００３１】
また、高域補正は、アナログ回線の特徴で高域のレベルが下がるのを補正するものである。これも適切にいれれば高速で通信できるが、過補正になると通信ができなくなる。
【００３２】
また、Ｔ４タイマーは、グループ３ファクシミリ通信を規定したＴ．３０プロトコル上の応答受信待ちタイマーでトレーニングが正常であったと返答をする信号（ＣＦＲ）を待つときなどに使用する。通常は３秒であるが、ＩＰ網などでは遅延があり５秒等に延ばさないと通信できないことがある。
【００３３】
また、パケットロスは、ＭＭＲ／ＪＢＩＧなどのエラーフリーを前提とした圧縮モードの場合に致命的なエラーを引き起こすことがある。パケットロスがある場合にはＭＨ／ＭＲ等の圧縮を用いるか、あるいはＭＭＲ／ＪＢＩＧの場合にはパケットロスしないモードでパケットを運ぶ必要がある。
【００３４】
また、最高モデムに関しては、ＩＰ網の帯域によりＶ３４、Ｖ１７，Ｖ２９などのモデムが決まってくる。
【００３５】
図５は、アナログ公衆網に接続されたファクシミリ装置間で行われる通常時のファクシミリ通信手順の一例を示している。詳細は、ＩＴＵ−Ｔ勧告Ｔ．３０を参照のこと。
【００３６】
同図において、まず、発呼側は、着呼側へ発呼し、それにより、着呼側が着信応答すると、発呼側は、所定のトーン信号である信号ＣＮＧを着呼側へ送出する。この信号ＣＮＧを受信すると、着呼側は、所定のトーン信号である信号ＣＥＤ（被呼局識別信号）を発呼側へ応答するとともに、自端末の機能を通知するための信号ＤＩＳ（ディジタル識別信号）を発呼側へ送出する。
【００３７】
発呼側は、信号ＤＩＳを受信すると、着呼側の受信能力を調べて、送信画情報のサイズ、線密度、符号化方式、および、使用するモデム速度等を決定し、その決定した内容を通知するための信号ＤＣＳ（ディジタル命令信号）を着呼側へ送出する。
【００３８】
次いで、発呼側は、信号ＤＣＳで通知したモデム速度でモデムトレーニングを行うために、信号ＴＣＦ（トレーニングチェック）を着呼側へ送出する。着呼側は、信号ＴＣＦを受信すると、受信エラーが発生しているかどうかを調べ、発生していない場合には、信号ＣＦＲ（受信準備確認）を発呼側へ通知する。
【００３９】
それにより、発呼側は、信号ＤＣＳで通知した用紙サイズおよび線密度の１ページ分の画像データを、信号ＤＣＳで指定した符号化方式で符号化圧縮して得た画情報ＰＩＸを着呼側へ送信する。１ページ分の画情報の送信を終了すると、メッセージ後信号として信号ＥＯＰ（手順終了）を着呼側へ送出する。
【００４０】
着呼側は、画情報ＰＩＸを受信すると、受信エラーの検出を行い、メッセージ後信号を受信すると、そのときに受信した１ページ分の画情報ＰＩＸに受信エラーがない場合には、信号ＭＣＦを発呼側へ応答する。
【００４１】
これにより、発呼側は、信号ＤＣＮ（切断命令）を着呼側へ送出し、回線を復旧する。また、着呼側は、信号ＤＣＮを受信すると、回線を復旧する。
【００４２】
図６は、図１のファクシミリ通信システムにおいて、ファクシミリ装置ＦＡ１からファクシミリ装置ＦＢ１へ発呼して、画情報を送信する場合の通信手順の一例を示している。この通信手順は、図５の通常時のファクシミリ通信手順に対応している。
【００４３】
まず、ファクシミリ装置ＦＡ１のユーザは、ファクシミリ装置ＦＢ１を宛先として選んで、発呼動作を行う。これにより、ファクシミリ装置ＦＡ１は、構内交換機ＰＡのアナログインタフェースユニットＡＦに対して接続し、それにより、構内交換機ＰＡは、接続応答する。
【００４４】
次いで、ファクシミリ装置ＦＡ１は、指定されたファクシミリ装置ＦＢ１のファクシミリ番号をあらわすＤＴＭＦ信号の選択信号を構内交換機ＰＡへ送出する。これにより、構内交換機ＰＡは、ＩＰ網ＮＴを介し、着側の構内交換機ＰＢへ、宛先のファクシミリ番号を含む接続要求を発行する。
【００４５】
それにより、構内交換機ＰＢは、宛先に指定されたファクシミリ装置ＦＢ１を呼び出し、ファクシミリ装置ＦＢ１は、この呼び出しに着信応答する。これにより、構内交換機ＰＢは、応答通知を発側の構内交換機ＰＡへ通知し、構内交換機ＰＡは、ファクシミリ装置ＦＡ１に対して、着信応答を通知する。
【００４６】
次に、ファクシミリ装置ＦＡ１は、所定のトーン信号である信号ＣＮＧを構内交換機ＰＡへ送出し、この信号ＣＮＧは、構内交換機ＰＡのＶｏＩＰゲートウェイ機能によりパケットへ変換され、ＩＰ網ＮＴを介して構内交換機ＰＢへ転送され、構内交換機ＰＢでは、（ＶｏＩＰゲートウェイ機能により）受信したパケットから信号ＣＮＧを再構成して、ファクシミリ装置ＦＢ１へと送出する。
【００４７】
この信号ＣＮＧを受信すると、ファクシミリ装置ＦＢ１は、所定のトーン信号である信号ＣＥＤ（被呼局識別信号）を構内交換機ＰＢへ応答する。この信号ＣＥＤは、構内交換機ＰＢのＶｏＩＰゲートウェイ機能によりパケットへ変換され、ＩＰ網ＮＴを介して構内交換機ＰＡへ転送され、構内交換機ＰＡでは、（ＶｏＩＰゲートウェイ機能により）受信したパケットから信号ＣＥＤを再構成して、ファクシミリ装置ＦＡ１へと送出する。
【００４８】
以下、構内交換機ＰＡと構内交換機ＰＢの間のトーン信号およびモデム信号などのアナログ信号のやりとりは、上述と同様に、ＶｏＩＰゲートウェイ機能によりトランスペアレントにＩＰ網ＮＴで転送されるので、詳細な説明を省略する。
【００４９】
これ以降は、図５と同様の動作が行われて、ファクシミリ装置ＦＡ１からファクシミリ装置ＦＢ１へファクシミリ画情報が送信される。ファクシミリ通信手順が終了すると、ファクシミリ装置ＦＡ１は、構内交換機ＰＡとの接続を切断し、また、ファクシミリ装置ＦＢ１は、構内交換機ＰＢとの接続を切断する。
【００５０】
図７は、ポーリング送信時のファクシミリ通信手順の一例を示している。詳細は、ＩＴＵ−Ｔ勧告Ｔ．３０を参照のこと。また、このポーリング送信手順は、後述するように、ファクシミリ装置ＦＡ，ＦＢが構内交換機ＰＡ，ＰＢに対して通信情報の取得を要求する際に使用される。
【００５１】
同図において、まず、発呼側は、着呼側へ発呼し、それにより、着呼側が着信応答すると、発呼側は、所定のトーン信号である信号ＣＮＧを着呼側へ送出する。この信号ＣＮＧを受信すると、着呼側は、所定のトーン信号である信号ＣＥＤ（被呼局識別信号）を発呼側へ応答するとともに、自端末の機能を通知するための信号ＤＩＳ（ディジタル識別信号）を発呼側へ送出する。
【００５２】
発呼側は、この場合は、ポーリング送信を要求するので、信号ＤＴＣ（ディジタル送信命令信号）を着呼側へ送出する。この信号ＤＴＣを受信すると、着呼側は、送信動作に移行する。そして、送信画情報のサイズ、線密度、符号化方式、および、使用するモデム速度等を決定し、その決定した内容を通知するための信号ＤＣＳ（ディジタル命令信号）を受信側へ送出する。
【００５３】
次いで、送信側は、信号ＤＣＳで通知したモデム速度でモデムトレーニングを行うために、信号ＴＣＦ（トレーニングチェック）を着呼側へ送出する。受信側は、信号ＴＣＦを受信すると、受信エラーが発生しているかどうかを調べ、発生していない場合には、信号ＣＦＲ（受信準備確認）を送信側へ通知する。
【００５４】
それにより、送信側は、信号ＤＣＳで通知した用紙サイズおよび線密度の１ページ分の画像データを、信号ＤＣＳで指定した符号化方式で符号化圧縮して得た画情報ＰＩＸを着呼側へ送信する。１ページ分の画情報の送信を終了すると、メッセージ後信号として信号ＥＯＰ（手順終了）を受信側へ送出する。
【００５５】
受信側は、画情報ＰＩＸを受信すると、受信エラーの検出を行い、メッセージ後信号を受信すると、そのときに受信した１ページ分の画情報ＰＩＸに受信エラーがない場合には、信号ＭＣＦを送信側へ応答する。
【００５６】
これにより、送信側は、信号ＤＣＮ（切断命令）を着呼側へ送出し、回線を復旧する。また、受信側は、信号ＤＣＮを受信すると、回線を復旧する。
【００５７】
図８は、図１のファクシミリ通信システムにおいて、ファクシミリ装置ＦＡ１からファクシミリ装置ＦＢ１へ発呼して、ポーリング送信を要求する場合の通信手順の一例を示している。この通信手順は、図８の通常時のポーリング送信時のファクシミリ通信手順に対応しているとともに、構内交換機ＰＡと構内交換機ＰＢの間の通信は、図６で説明したとおりであり、説明は省略する。
【００５８】
ところで、Ｖ．３４モデムでは、通信開始直後の最初のフェーズにおいて、図９に示すようなＶ．８手順を行う。なお、Ｖ．８モデム信号（Ｖ．８信号）とは、このＶ．８手順において、発呼側モデムと着呼側モデムとの間でやりとりされる信号を指す。
【００５９】
着信検出すると、受信側は、まず、振幅変調を施した所定のトーン信号である信号ＡＮＳａｍを送出して、Ｖ．８伝送手順の開始を通知し、送信側は、信号ＡＮＳａｍを受信すると、主として自端末に備えられているモデム種別等の変調方式を表示するための起呼メニュー信号ＣＭを送出する。
【００６０】
起呼メニュー信号ＣＭを受信すると、受信側は、その起呼メニュー信号ＣＭにより通知されたモデム種別等の変調方式から、そのときに使用するモデム種別等の変調方式を選択し、その選択したモデム種別等の変調方式を通知するための共通メニュー信号ＪＭを送出する。この場合、受信側はＶ．３４モデムを使用するモデム機能として選択し、送信側に通知する。
【００６１】
共通メニュー信号ＪＭを受信すると、送信側は、ＣＭ終端子ＣＪを送出し、共通メニュー信号ＪＭで通知されたモデム種別等の変調方式を適用するようにモデム装置の機能を設定する。
【００６２】
また、受信側は、ＣＭ終端子ＣＪを受信した後に、共通メニュー信号ＪＭの出力を終了する。
【００６３】
この信号ＡＮＳａｍ〜共通メニュー信号ＪＭの送出終了までが、Ｖ．８伝送手順である。なお、起呼メニュー信号ＣＭ、共通メニュー信号ＪＭ、および、ＣＭ終端子ＣＪはＶ．２１モデム機能により伝送される（なお、詳細については、勧告Ｖ．８の文献を参照のこと。）。
【００６４】
このようにして、使用するモデム機能の設定が終了すると、モデム接続のための手順が開始される。この場合には、Ｖ．３４モデム手順（フェーズ２以降）が開始される。
【００６５】
図１０は、図１のファクシミリ通信システムにおいて、図９に対応したＶ．８手順が実行されている様子を示している。この通信手順は、図９のＶ．８手順に対応しているとともに、ファクシミリ装置ＦＡ，ＦＢと構内交換機ＰＡ，ＰＢとの間の接続手順、および、構内交換機ＰＡと構内交換機ＰＢの間の通信は、図６で説明したとおりであり、説明は省略する。
【００６６】
図１１は、構内交換機ＦＸが内線側のファクシミリ装置ＦＸから発呼を受け付けた場合の処理（通常処理）の一例を示している。
【００６７】
アナログインタフェースユニットＡＦがファクシミリ装置ＦＸから接続されたことを検出すると、対応するファクシミリ装置ＦＸに対して接続応答し（処理１０１）、ファクシミリ装置ＦＸから選択信号を受信する（処理１０２）。
【００６８】
次いで、相手側の構内交換機ＰＸに対して、処理１０２で受信した選択信号のファクシミリ番号を指定した状態で接続要求を発行する（処理１０３）。
【００６９】
その状態で、相手先から信号ＣＥＤまたは信号ＡＮＳａｍのパケットを受信するか、あるいは、音声パケットを受信するまで待つ（判断１０４のＮＯループ）。相手先から信号ＣＥＤまたは信号ＡＮＳａｍのパケットを受信するか、あるいは、音声パケットを受信して、判断１０４の結果がＹＥＳになるときには、受信したパケットが信号ＣＥＤまたは信号ＡＮＳａｍのパケットであったかどうかを調べる（判断１０５）。
【００７０】
判断１０５の結果がＹＥＳになるときには、着信応答した相手端末がファクシミリ装置の場合であるので、そのときに接続要求されたアナログインタフェースユニットＡＦへ信号ＣＥＤ／ＡＮＳａｍを送出し（処理１０６）、それ以降のファクシミリ通信時処理を実行する。
【００７１】
また、判断１０５の結果がＮＯになるときには、着信応答した相手端末がファクシミリ装置以外の場合であるので、そのときに接続要求されたアナログインタフェースユニットＡＦへ、受信した音声パケットの音声データをデジタル／アナログ変換して形成した音声信号を（処理１０７）、それ以降の音声通信時処理を実行する。
【００７２】
図１２は、ファクシミリ装置ＦＡ１が、構内交換機ＰＡに対して、通信情報の取得を要求する際の手順の一例を示している。
【００７３】
例えば、ファクシミリ装置ＦＡ１の設置の際などで、管理者ユーザが、ファクシミリ装置ＦＡ１をポーリング送信要求モードにセットし、あらかじめ決められている通信情報取得用のファクシミリ番号を宛先として入力し、通信スタートさせる。
【００７４】
これにより、ファクシミリ装置ＦＡ１は、構内交換機ＰＡのアナログインタフェースユニットＡＦに対して接続し、それにより、構内交換機ＰＡは、接続応答する。
【００７５】
次いで、ファクシミリ装置ＦＡ１は、指定された通信情報取得用のファクシミリ番号をあらわすＤＴＭＦ信号の選択信号を構内交換機ＰＡへ送出する。この選択信号を受信した構内交換機ＰＡは、通信情報送信モードへ移行する。
【００７６】
それにより、構内交換機ＰＡは、ファクシミリ装置ＦＡ１に対して着信応答し、ファクシミリ装置ＦＡ１は、所定のトーン信号である信号ＣＮＧを構内交換機ＰＡへ送出する。この信号ＣＮＧを受信すると、構内交換機ＰＡは、所定のトーン信号である信号ＣＥＤ（被呼局識別信号）をファクシミリ装置ＦＡ１へ応答するとともに、自端末の機能を通知するための信号ＤＩＳ（ディジタル識別信号）をファクシミリ装置ＦＡ１へ送出する。
【００７７】
ファクシミリ装置ＦＡ１は、この場合は、ポーリング送信を要求するので、信号ＤＴＣ（ディジタル送信命令信号）を構内交換機ＰＡへ送出する。この信号ＤＴＣを受信すると、構内交換機ＰＡは、送信動作に移行する。そして、送信画情報のサイズ、線密度、符号化方式、および、使用するモデム速度等を決定し、その決定した内容を通知するための信号ＤＣＳ（ディジタル命令信号）をファクシミリ装置ＦＡ１へ送出する。
【００７８】
次いで、構内交換機ＰＡは、信号ＤＣＳで通知したモデム速度でモデムトレーニングを行うために、信号ＴＣＦ（トレーニングチェック）を構内交換機ＰＡへ送出する。ファクシミリ装置ＦＡ１は、信号ＴＣＦを受信すると、受信エラーが発生しているかどうかを調べ、発生していない場合には、信号ＣＦＲ（受信準備確認）を構内交換機ＰＡへ通知する。
【００７９】
それにより、構内交換機ＰＡは、あらかじめ用意されている通信情報通知用画情報を構内交換機ＰＡへ送信する。１ページ分の画情報の送信を終了すると、メッセージ後信号として信号ＥＯＰ（手順終了）をファクシミリ装置ＦＡ１へ送出する。ここで、通信情報通知用画情報とは、記憶している通信情報を通知するためのレポート画像を所定の用紙サイズおよび線密度で作成し、その作成した１ページ分の画像データを、所定の符号化方式で符号化圧縮して得た画情報である。
【００８０】
ファクシミリ装置ＦＡ１は、画情報ＰＩＸを受信すると、受信エラーの検出を行い、メッセージ後信号を受信すると、そのときに受信した１ページ分の画情報ＰＩＸに受信エラーがない場合には、信号ＭＣＦを構内交換機ＰＡへ応答する。
【００８１】
これにより、構内交換機ＰＡは、信号ＤＣＮ（切断命令）を構内交換機ＰＡへ送出し、回線を復旧する。また、ファクシミリ装置ＦＡ１は、信号ＤＣＮを受信すると、回線を復旧する（インタフェース接続断）。
【００８２】
これにより、ファクシミリ装置ＦＡ１の管理者ユーザは、構内交換機ＰＡに設定されている通信情報のレポートを得るので、その内容を参照して、ファクシミリ装置ＦＡ１を適宜に操作して、必要な通信パラメータを設定する。
【００８３】
このようにして、この場合には、構内交換機ＰＸがファクシミリ通信に必要な情報をファクシミリ装置ＦＸに画情報で通知することができるので、ファクシミリユーザは通信パラメータ設定を正しく行うことができ、その結果、最適なファクシミリ通信をすることができる。
【００８４】
図１３は、この場合の構内交換機ＰＸの処理の一例を示している。
【００８５】
アナログインタフェースユニットＡＦがファクシミリ装置ＦＸから接続されたことを検出すると、対応するファクシミリ装置ＦＸに対して接続応答し（処理２０１）、ファクシミリ装置ＦＸから選択信号を受信する（処理２０２）。
【００８６】
そして、受信した選択信号が、通信情報取得用のファクシミリ番号であるかどうかを調べ（判断２０３）、判断２０３の結果がＹＥＳになるときには、あらかじめ用意した通信情報通知用画情報（前述）を、ポーリング手順を適用して送信する（処理２０４）。
【００８７】
また、判断２０３の結果がＮＯになるときには、図１１に示したような通常処理（処理２０５）を実行する。
【００８８】
さて、ファクシミリ装置ＦＡ１が、構内交換機ＰＡに対して、通信情報の取得を要求するとき、Ｖ．８信号を利用することができる。その場合の手順の一例を図１４に示す。
【００８９】
例えば、ファクシミリ装置ＦＡ１の設置の際などで、管理者ユーザが、ファクシミリ装置ＦＡ１を通信情報取得モードにセットし、あらかじめ決められている通信情報取得用のファクシミリ番号を宛先として入力し、通信スタートさせる。
【００９０】
これにより、ファクシミリ装置ＦＡ１は、構内交換機ＰＡのアナログインタフェースユニットＡＦに対して接続し、それにより、構内交換機ＰＡは、接続応答する。
【００９１】
次いで、ファクシミリ装置ＦＡ１は、指定された通信情報取得用のファクシミリ番号をあらわすＤＴＭＦ信号の選択信号を構内交換機ＰＡへ送出する。この選択信号を受信した構内交換機ＰＡは、通信情報送信モードへ移行する。
【００９２】
それにより、構内交換機ＰＡは、ファクシミリ装置ＦＡ１に信号ＡＮＳａｍを送出して、Ｖ．８伝送手順の開始を通知し、ファクシミリ装置ＦＡ１は、信号ＡＮＳａｍを受信すると、主として自端末に備えられているモデム種別等の変調方式を表示するための起呼メニュー信号ＣＭを送出する。
【００９３】
起呼メニュー信号ＣＭを受信すると、構内交換機ＰＡは、記憶されている通信情報の内容をパラメータとして設定した共通メニュー信号ＪＭを送出する。
【００９４】
共通メニュー信号ＪＭを受信すると、ファクシミリ装置ＦＡ１は、その時点で通信を終了するために、構内交換機ＰＡとの接続を切断する。
【００９５】
そして、ファクシミリ装置ＦＡ１は、共通メニュー信号ＪＭに設定されていた通信情報の内容を操作表示部７に表示出力し、その表示内容を確認した管理者ユーザは、ファクシミリ装置ＦＡ１を適宜に操作して、必要な通信パラメータを設定する。
【００９６】
あるいは、ファクシミリ装置ＦＡ１は、共通メニュー信号ＪＭに設定されていた通信情報の内容を解釈し、内部の通信パラメータの値を対応した値に自動的に設定する。
【００９７】
図１５は、この場合の構内交換機ＰＸの処理の一例を示している。
【００９８】
アナログインタフェースユニットＡＦがファクシミリ装置ＦＸから接続されたことを検出すると、対応するファクシミリ装置ＦＸに対して接続応答し（処理３０１）、ファクシミリ装置ＦＸから選択信号を受信する（処理３０２）。
【００９９】
そして、受信した選択信号が、通信情報取得用のファクシミリ番号であるかどうかを調べ（判断３０３）、判断３０３の結果がＮＯになるときには、図１１に示したような通常処理（処理３０４）を実行する。
【０１００】
また、判断３０３の結果がＹＥＳになるときには、Ｖ．８モデム手順を開始し、起呼メニュー信号ＣＭを受信するかどうかを調べる（判断３０５）。起呼メニュー信号ＣＭを受信した場合で、判断３０５の結果がＹＥＳになるときには、記憶されている通信情報の内容をパラメータとして設定した共通メニュー信号ＪＭを送出して（処理３０６）、通信を終了する（処理３０７）。
【０１０１】
また、起呼メニュー信号ＣＭを受信しなかった場合で、判断３０５の結果がＮＯになるときには、その時点で処理３０７へ進み、通信を終了する。
【０１０２】
図１６は、この場合のファクシミリ装置ＦＸの処理の一例を示している。
【０１０３】
ユーザの送信操作が終了し（処理４０１）、指定された宛先のファクシミリ番号の末尾に「＊」が配置されているかどうかを調べる（判断４０２）。判断４０２の結果がＮＯになるときには、通常の通信処理を行う（処理４０３）。
【０１０４】
また、判断４０２の結果がＹＥＳになるときには、通信情報取得用のファクシミリ番号が、宛先のファクシミリ番号として選択された場合なので、網制御装置１１により構内交換機ＰＸのアナログインタフェースユニットＡＦへ接続し（処理４０４）、宛先電話番号（ファクシミリ番号）を送出する（処理４０５）。
【０１０５】
そして、信号ＡＮＳａｍを受信するまで、繰り返し信号ＣＮＧを送出する（判断４０６の結果がＮＯ、処理４０７のループ）。信号ＡＮＳａｍを受信して、判断４０６の結果がＹＥＳになると、主として自端末に備えられているモデム種別等の変調方式を表示するための起呼メニュー信号ＣＭを送出し（処理４０８）、共通メニュー信号ＪＭを受信する（処理４０９）。
【０１０６】
ここで、受信した共通メニュー信号ＪＭに通信情報が含まれているかどうかを調べ（判断４１０）、判断４１０の結果がＮＯになるときには、その時点で構内交換機ＰＡとの接続を切断する（処理４１１）。
【０１０７】
また、判断４１０の結果がＹＥＳになるときには、含まれていた通信情報の内容を操作表示部７に表示して（処理４１２）、構内交換機ＰＡとの接続を切断する（処理４１３）。
【０１０８】
図１７は、この場合のファクシミリ装置ＦＸの処理の他の例を示している。
【０１０９】
ユーザの送信操作が終了し（処理５０１）、指定された宛先のファクシミリ番号の末尾に「＊」が配置されているかどうかを調べる（判断５０２）。判断５０２の結果がＮＯになるときには、通常の通信処理を行う（処理５０３）。
【０１１０】
また、判断５０２の結果がＹＥＳになるときには、通信情報取得用のファクシミリ番号が、宛先のファクシミリ番号として選択された場合なので、網制御装置１１により構内交換機ＰＸのアナログインタフェースユニットＡＦへ接続し（処理５０４）、宛先電話番号（ファクシミリ番号）を送出する（処理５０５）。
【０１１１】
そして、信号ＡＮＳａｍを受信するまで、繰り返し信号ＣＮＧを送出する（判断５０６の結果がＮＯ、処理５０７のループ）。信号ＡＮＳａｍを受信して、判断５０６の結果がＹＥＳになると、主として自端末に備えられているモデム種別等の変調方式を表示するための起呼メニュー信号ＣＭを送出し（処理５０８）、共通メニュー信号ＪＭを受信する（処理５０９）。
【０１１２】
ここで、受信した共通メニュー信号ＪＭに通信情報が含まれているかどうかを調べ（判断５１０）、判断５１０の結果がＮＯになるときには、その時点で構内交換機ＰＡとの接続を切断する（処理５１１）。
【０１１３】
また、判断５１０の結果がＹＥＳになるときには、含まれていた通信情報の内容に対応した通信パラメータをセットして（処理５１２）、構内交換機ＰＡとの接続を切断する（処理５１３）。
【０１１４】
ところで、ＩＰ網ＮＴを介して行うパケット通信に関しては、構内交換機ＰＸが通信情報を適切に設定することができるが、それぞれのファクシミリ装置ＦＸが備えている通信機能にかかる通信情報（例えば、モデム速度等）については、おのおののファクシミリ装置ＦＸから構内交換機ＰＸに通知する必要がある。
【０１１５】
特に、モデム速度とＩＰ網ＮＴ側のデータスループットとは、ある程度相関関係があると思われるので、ファクシミリ装置ＦＸの最高モデムの種類を知ることで、構内交換機ＰＸが選択するデータスループットを適切なものにすることができる。
【０１１６】
このように、ファクシミリ装置ＦＸから構内交換機ＰＸに通信情報を通知する場合の手順の一例を図１８に示す。
【０１１７】
例えば、ファクシミリ装置ＦＡ１の設置の際などで、管理者ユーザが、ファクシミリ装置ＦＡ１を通信情報取得モードにセットし、あらかじめ決められている通信情報通知用のファクシミリ番号を宛先として入力し、通信スタートさせる。
【０１１８】
これにより、ファクシミリ装置ＦＡ１は、構内交換機ＰＡのアナログインタフェースユニットＡＦに対して接続し、それにより、構内交換機ＰＡは、接続応答する。
【０１１９】
次いで、ファクシミリ装置ＦＡ１は、指定された通信情報通知用のファクシミリ番号をあらわすＤＴＭＦ信号の選択信号を構内交換機ＰＡへ送出する。この選択信号を受信した構内交換機ＰＡは、通信情報受信モードへ移行する。
【０１２０】
それにより、構内交換機ＰＡは、ファクシミリ装置ＦＡ１に信号ＡＮＳａｍを送出して、Ｖ．８伝送手順の開始を通知し、ファクシミリ装置ＦＡ１は、信号ＡＮＳａｍを受信すると、自端末の通信情報の値を通知するための起呼メニュー信号ＣＭを送出し、その時点で通信を終了するために、構内交換機ＰＡとの接続を切断する。
【０１２１】
一方、起呼メニュー信号ＣＭを受信した構内交換機ＰＡは、その起呼メニュー信号ＣＭに含まれている通信情報を取得して、当該ファクシミリ装置ＦＸについて、その取得した通信情報に対応した通信パラメータを記憶する。
【０１２２】
図１９は、この場合のファクシミリ装置ＦＸの処理の一例を示している。
【０１２３】
ユーザの送信操作が終了し（処理６０１）、指定された宛先のファクシミリ番号の末尾に「＊」が配置されているかどうかを調べる（判断６０２）。判断６０２の結果がＮＯになるときには、通常の通信処理を行う（処理５０３）。
【０１２４】
また、判断６０２の結果がＹＥＳになるときには、通信情通知用のファクシミリ番号が、宛先のファクシミリ番号として選択された場合なので、網制御装置１１により構内交換機ＰＸのアナログインタフェースユニットＡＦへ接続し（処理６０４）、宛先電話番号（ファクシミリ番号）を送出する（処理６０５）。
【０１２５】
そして、信号ＡＮＳａｍを受信するまで、繰り返し信号ＣＮＧを送出する（判断６０６の結果がＮＯ、処理６０７のループ）。信号ＡＮＳａｍを受信して、判断６０６の結果がＹＥＳになると、自端末に記憶されている通信情報をセットした起呼メニュー信号ＣＭを送出し（処理６０８）、構内交換機ＰＡとの接続を切断する（処理６０９）。
【０１２６】
図２０は、この場合の構内交換機ＰＸの処理の一例を示している。
【０１２７】
アナログインタフェースユニットＡＦがファクシミリ装置ＦＸから接続されたことを検出すると、対応するファクシミリ装置ＦＸに対して接続応答し（処理７０１）、ファクシミリ装置ＦＸから選択信号を受信する（処理７０２）。
【０１２８】
そして、受信した選択信号が、通信情報通知用のファクシミリ番号であるかどうかを調べ（判断７０３）、判断７０３の結果がＮＯになるときには、図１１に示したような通常処理（処理７０４）を実行する。
【０１２９】
また、判断７０３の結果がＹＥＳになるときには、Ｖ．８モデム手順を開始し、起呼メニュー信号ＣＭを受信するかどうかを調べる（判断７０５）。起呼メニュー信号ＣＭを受信した場合で、判断７０５の結果がＹＥＳになるときには、受信した起呼メニュー信号ＣＭに通信情報が含まれているかどうかを調べる（判断７０６）。
【０１３０】
判断７０６の結果がＹＥＳになるときには、そのときの発呼側のファクシミリ装置ＦＸについて、受信した通信情報に対応した通信パラメータをセットする（処理７０７）。次いで、通信を終了する（処理７０８）。
【０１３１】
また、受信した起呼メニュー信号ＣＭに通信情報が含まれていない場合で、判断７０６の結果がＮＯになるとき、および、起呼メニュー信号ＣＭを受信できなかった場合で、判断７０５の結果がＮＯになるときには、その時点で、処理７０８へ移行し、通信を終了する。
【０１３２】
また、ファクシミリ装置ＦＸと構内交換機ＰＸとの間で、通信情報を相互に交換し、必要な通信パラメータをそれぞれ設定するようにすることもできる。
【０１３３】
このように、ファクシミリ装置ＦＸと構内交換機ＰＸとの間で、通信情報を相互に交換する場合の手順の一例を図２１に示す。
【０１３４】
例えば、ファクシミリ装置ＦＡ１の設置の際などで、管理者ユーザが、ファクシミリ装置ＦＡ１を通信情報取得モードにセットし、あらかじめ決められている通信情報交換用のファクシミリ番号を宛先として入力し、通信スタートさせる。
【０１３５】
これにより、ファクシミリ装置ＦＡ１は、構内交換機ＰＡのアナログインタフェースユニットＡＦに対して接続し、それにより、構内交換機ＰＡは、接続応答する。
【０１３６】
次いで、ファクシミリ装置ＦＡ１は、指定された通信情報交換用のファクシミリ番号をあらわすＤＴＭＦ信号の選択信号を構内交換機ＰＡへ送出する。この選択信号を受信した構内交換機ＰＡは、通信情報交換モードへ移行する。
【０１３７】
それにより、構内交換機ＰＡは、ファクシミリ装置ＦＡ１に信号ＡＮＳａｍを送出して、Ｖ．８伝送手順の開始を通知し、ファクシミリ装置ＦＡ１は、信号ＡＮＳａｍを受信すると、自端末の通信情報の値を通知するための起呼メニュー信号ＣＭを送出する。
【０１３８】
起呼メニュー信号ＣＭを受信すると、構内交換機ＰＡは、記憶されている通信情報の内容をパラメータとして設定した共通メニュー信号ＪＭを送出する。
【０１３９】
共通メニュー信号ＪＭを受信すると、ファクシミリ装置ＦＡ１は、その時点で通信を終了するために、構内交換機ＰＡとの接続を切断する。
【０１４０】
そして、ファクシミリ装置ＦＡ１は、共通メニュー信号ＪＭに設定されていた通信情報の内容を操作表示部７に表示出力し、その表示内容を確認した管理者ユーザは、ファクシミリ装置ＦＡ１を適宜に操作して、必要な通信パラメータを設定する。
【０１４１】
あるいは、ファクシミリ装置ＦＡ１は、共通メニュー信号ＪＭに設定されていた通信情報の内容を解釈し、内部の通信パラメータの値を対応した値に自動的に設定する。
【０１４２】
また、構内交換機ＰＡは、受信した起呼メニュー信号ＣＭに含まれている通信情報を取得して、当該ファクシミリ装置ＦＸについて、その取得した通信情報に対応した通信パラメータを記憶する。
【０１４３】
図２２は、この場合のファクシミリ装置ＦＸの処理の一例を示している。
【０１４４】
ユーザの送信操作が終了し（処理８０１）、指定された宛先のファクシミリ番号の末尾に「＊」が配置されているかどうかを調べる（判断８０２）。判断８０２の結果がＮＯになるときには、通常の通信処理を行う（処理８０３）。
【０１４５】
また、判断８０２の結果がＹＥＳになるときには、通信情報交換用のファクシミリ番号が、宛先のファクシミリ番号として選択された場合なので、網制御装置１１により構内交換機ＰＸのアナログインタフェースユニットＡＦへ接続し（処理８０４）、宛先電話番号（ファクシミリ番号）を送出する（処理８０５）。
【０１４６】
そして、信号ＡＮＳａｍを受信するまで、繰り返し信号ＣＮＧを送出する（判断８０６の結果がＮＯ、処理８０７のループ）。信号ＡＮＳａｍを受信して、判断８０６の結果がＹＥＳになると、自端末に記憶されている通信情報をセットした起呼メニュー信号ＣＭを送出し（処理８０８）、共通メニュー信号ＪＭを受信する（処理８０９）。
【０１４７】
ここで、受信した共通メニュー信号ＪＭに通信情報が含まれているかどうかを調べ（判断８１０）、判断８１０の結果がＹＥＳになるときには、含まれていた通信情報の内容に対応した通信パラメータをセットして（処理８１１）、構内交換機ＰＡとの接続を切断する（処理８１２）。また、判断８１０の結果がＮＯになるときには、処理８１２へ進み、構内交換機ＰＡとの接続を切断する。
【０１４８】
図２３は、この場合の構内交換機ＰＸの処理の一例を示している。
【０１４９】
アナログインタフェースユニットＡＦがファクシミリ装置ＦＸから接続されたことを検出すると、対応するファクシミリ装置ＦＸに対して接続応答し（処理９０１）、ファクシミリ装置ＦＸから選択信号を受信する（処理９０２）。
【０１５０】
そして、受信した選択信号が、通信情報交換用のファクシミリ番号であるかどうかを調べ（判断９０３）、判断９０３の結果がＮＯになるときには、図１１に示したような通常処理（処理９０４）を実行する。
【０１５１】
また、判断９０３の結果がＹＥＳになるときには、情報交換モードの処理を実行する。まず、Ｖ．８モデム手順を開始し、起呼メニュー信号ＣＭを受信するかどうかを調べる（判断９０５）。起呼メニュー信号ＣＭを受信した場合で、判断９０５の結果がＹＥＳになるときには、受信した起呼メニュー信号ＣＭに通信情報が含まれているかどうかを調べる（判断９０６）。
【０１５２】
判断９０６の結果がＹＥＳになるときには、そのときの発呼側のファクシミリ装置ＦＸについて、受信した通信情報に対応した通信パラメータをセットする（処理９０７）。次いで、自端末に記憶されている通信情報をセットした共通メニュー信号ＪＭを送出し（処理９０８）、通信を終了する（処理９０９）。
【０１５３】
また、受信した起呼メニュー信号ＣＭに通信情報が含まれていない場合で、判断９０６の結果がＮＯになるときには、処理９０８へ移行し、それ以降の処理を実行する。
【０１５４】
また、起呼メニュー信号ＣＭを受信できなかった場合で、判断９０５の結果がＮＯになるときには、その時点で、処理９０９へ移行し、通信を終了する。
【０１５５】
ところで、上述した実施例では、ファクシミリ装置ＦＸと構内交換機ＰＸとの間で通信情報を交換する動作を、特別な動作として行うようにしているが、例えば、ファクシミリ装置ＦＸがいずれかの宛先へ発呼する際に、ファクシミリ装置ＦＸと構内交換機ＰＸとの間で通信情報を交換する動作を行うことができる。
【０１５６】
その場合の手順の一例を図２４に示す。この場合、ファクシミリ装置ＦＡ１が宛先のファクシミリ装置ＦＢ１と接続し、両者がＶ．８モデム信号を交換する際に、ファクシミリ装置ＦＡ１と構内交換機ＰＡとの間で起呼メニュー信号ＣＭと共通メニュー信号ＪＭの交換を一回行い、ファクシミリ装置ＦＡ１と構内交換機ＰＡとの間で通信情報を交換する。
【０１５７】
このようにすることで、発呼の度に、ファクシミリ装置ＦＸと構内交換機ＰＸとの間で通信情報の交換がなされるので、ファクシミリ装置ＦＸおよび構内交換機ＰＸの通信情報の設定内容が変更になった場合などでも、そのような変更に適切に対処することができる。
【０１５８】
図２５は、この場合のファクシミリ装置ＦＸの処理の一例を示している。
【０１５９】
ユーザの送信操作が終了すると（処理１００１）、網制御装置１１により構内交換機ＰＸのアナログインタフェースユニットＡＦへ接続し（処理１００４）、宛先電話番号（ファクシミリ番号）を送出する（処理１００５）。
【０１６０】
そして、信号ＡＮＳａｍを受信するまで、繰り返し信号ＣＮＧを送出する（判断１００６の結果がＮＯ、処理１００７のループ）。信号ＡＮＳａｍを受信して、判断１００６の結果がＹＥＳになると、自端末に備えられているモデム種別等の変調方式を表示する情報と自端末に記憶されている通信情報をセットした起呼メニュー信号ＣＭを送出し（処理１００８）、共通メニュー信号ＪＭを受信する（処理１００９）。
【０１６１】
ここで、受信した共通メニュー信号ＪＭに通信情報が含まれているかどうかを調べ（判断８１０）、判断８１０の結果がＹＥＳになるときには、含まれていた通信情報の内容に対応した通信パラメータをセットする（処理８１１）。
【０１６２】
次に、主として自端末に備えられているモデム種別等の変調方式を表示するための起呼メニュー信号ＣＭを送出し（処理１０１２）、共通メニュー信号ＪＭを受信する（処理１０１３）。そして、ＣＭ終端子ＣＪを送出し、共通メニュー信号ＪＭで通知されたモデム種別等の変調方式を適用するようにモデム装置の機能を設定して、それ以降の処理を実行する。
【０１６３】
また、判断１０１０の結果がＮＯになるときには、処理１０１４へ進み、それ以降の処理を実行する。
【０１６４】
図２３は、この場合の構内交換機ＰＸの処理の一例を示している。
【０１６５】
アナログインタフェースユニットＡＦがファクシミリ装置ＦＸから接続されたことを検出すると、対応するファクシミリ装置ＦＸに対して接続応答し（処理１１０１）、ファクシミリ装置ＦＸから選択信号を受信する（処理１１０２）。
【０１６６】
次いで、相手側の構内交換機ＰＸに対して、処理１１０２で受信した選択信号のファクシミリ番号を指定した状態で接続要求を発行する（処１理１０３）。
【０１６７】
その状態で、相手先から信号ＣＥＤまたは信号ＡＮＳａｍのパケットを受信するか、あるいは、音声パケットを受信するまで待つ（判断１１０４のＮＯループ）。相手先から信号ＣＥＤまたは信号ＡＮＳａｍのパケットを受信するか、あるいは、音声パケットを受信して、判断１０４の結果がＹＥＳになるときには、受信したパケットが信号ＣＥＤまたは信号ＡＮＳａｍのパケットであったかどうかを調べる（判断１１０５）。
【０１６８】
判断１１０５の結果がＮＯになるときには、着信応答した相手端末がファクシミリ装置以外の場合であるので、そのときに接続要求されたアナログインタフェースユニットＡＦへ、受信した音声パケットの音声データをデジタル／アナログ変換して形成した音声信号をアナログインタフェースユニットＡＦへ送出し（処理１０７）、それ以降の音声通信時処理を実行する。
【０１６９】
また、判断１１０５の結果がＹＥＳになるときには、着信応答した相手端末がファクシミリ装置の場合であるので、そのときに接続要求されたアナログインタフェースユニットＡＦへ信号ＣＥＤ／ＡＮＳａｍを送出し（処理１０６）、発呼側のファクシミリ装置ＦＸから起呼メニュー信号ＣＭを受信するかどうかを調べる（判断１１０９）。起呼メニュー信号ＣＭを受信した場合で、判断１１０９の結果がＹＥＳになるときには、受信した起呼メニュー信号ＣＭに通信情報が含まれているかどうかを調べる（判断１１１０）。
【０１７０】
判断１１１０の結果がＹＥＳになるときには、そのときの発呼側の相手ファクシミリ装置ＦＸについて、受信した通信情報に対応した通信パラメータをセットする（処理１１１１）。次いで、自端末に記憶されている通信情報をセットした共通メニュー信号ＪＭを送出し（処理１１１２）、発呼側のファクシミリ装置ＦＸから通信情報が含まれていない起呼メニュー信号ＣＭを受信するかどうかを調べる（判断１１１３）。
【０１７１】
判断１１１３の結果がＹＥＳになるときには、受信した起呼メニュー信号ＣＭを相手側の構内交換機ＰＸに対して送出し（処理１１１４）、それ以降のファクシミリ通信手順処理を実行する。
【０１７２】
また、判断１１１３の結果がＮＯになるとき、および、判断１１０９の結果がＮＯになるときには、処理１１５へ進み、その時点で通信を終了する。
【０１７３】
また、判断１１０１の結果がＮＯになるときには、処理１１１１を行わずに処理１１１２へ移行し、それ以降の処理を実行する。
【０１７４】
以上のように、本発明では、構内交換機がファクシミリ通信に必要な情報をファクシミリに画情報で通知することができるので、ファクシミリユーザーはパラメータ設定を正しくすることにより最適なファクシミリ通信をすることができる。
【０１７５】
また、構内交換機がファクシミリ通信に必要な情報をファクシミリに通知することができるので、ファクシミリユーザはその情報を操作表示部で取得することができ、パラメータを正しく設定することにより最適なファクシミリ通信をすることができる。
【０１７６】
また、構内交換機がファクシミリ通信に必要な情報をファクシミリに通知し、ファクシミリが自動でパラメータに設定するので、最適なファクシミリ通信をすることができる。
【０１７７】
また、ファクシミリがファクシミリ通信に必要な情報を構内交換機に通知し、構内交換機が自動でパラメータに設定するので、最適なファクシミリ通信をすることができる。
【０１７８】
また、構内交換機とファクシミリが情報を交換し、それぞれが自動でパラメータを設定するので、最適なファクシミリ通信をすることができる。
【０１７９】
また、呼毎に構内交換機がファクシミリ通信に必要な情報をファクシミリに通知し、ファクシミリが自動でパラメータに設定するので、最適なファクシミリ通信をすることができる。
【０１８０】
また、呼毎にファクシミリがファクシミリ通信に必要な情報を構内交換機に通知し、構内交換機が自動でパラメータに設定するので、最適なファクシミリ通信をすることができる。
【０１８１】
また、呼毎に構内交換機とファクシミリが情報を交換し、それぞれが自動でパラメータを設定するので、最適なファクシミリ通信をすることができる。
【０１８２】
なお、上述した実施例では、図１に示したファクシミリ通信システムに本発明を適用した場合について説明したが、それ以外の構成のファクシミリ通信システムについても、本発明を同様にして適用することができる。また、ファクシミリ装置は、ファクシミリ通信機能を備えた複合機なども適用することができる。
【図面の簡単な説明】
【０１８３】
【図１】本発明の一実施例にかかるファクシミリ通信システムの一例を示したブロック図。
【図２】ファクシミリ装置ＦＸ（ＦＡ１〜ＦＡｎ，ＦＢ１〜ＦＢｎ）の構成の一例を示したブロック図。
【図３】構内交換機ＰＸ（ＰＡ，ＰＢ）の構成の一例を示したブロック図。
【図４】ファクシミリ通信で適用される通信情報の一例を示した概略図。
【図５】アナログ公衆網に接続されたファクシミリ装置間で行われる通常時のファクシミリ通信手順の一例を示したタイムチャート。
【図６】図１のファクシミリ通信システムにおいて、ファクシミリ装置ＦＡ１からファクシミリ装置ＦＢ１へ発呼して、画情報を送信する場合の通信手順の一例を示したタイムチャート。
【図７】ポーリング送信時のファクシミリ通信手順の一例を示したタイムチャート。
【図８】図１のファクシミリ通信システムにおいて、ファクシミリ装置ＦＡ１からファクシミリ装置ＦＢ１へ発呼して、ポーリング送信を要求する場合の通信手順の一例を示したタイムチャート。
【図９】Ｖ．８手順の一例を示したタイムチャート。
【図１０】図１のファクシミリ通信システムにおいて、図９に対応したＶ．８手順が実行されている様子を示したタイムチャート。
【図１１】構内交換機ＦＸが内線側のファクシミリ装置ＦＸから発呼を受け付けた場合の処理（通常処理）の一例を示したフローチャート。
【図１２】ファクシミリ装置ＦＡ１が、構内交換機ＰＡに対して、通信情報の取得を要求する際の手順の一例を示したタイムチャート。
【図１３】図１２の動作における構内交換機ＰＸの処理の一例を示したフローチャート。
【図１４】Ｖ．８信号を利用した通信情報取得手順例を示したタイムチャート。
【図１５】図１４の動作に対応した構内交換機ＰＸの処理の一例を示したフローチャート。
【図１６】図１４の動作に対応したファクシミリ装置ＦＸの処理の一例を示したフローチャート。
【図１７】図１４の動作に対応したファクシミリ装置ＦＸの処理の他の例を示したフローチャート。
【図１８】ファクシミリ装置ＦＸから構内交換機ＰＸに通信情報を通知する場合の手順の一例を示したタイムチャート。
【図１９】図１８の動作に対応したファクシミリ装置ＦＸの処理の一例を示したフローチャート。
【図２０】図１８の動作に対応した構内交換機ＰＸの処理の一例を示したフローチャート。
【図２１】Ｖ．８信号を利用した通信情報交換手順の一例を示したタイムチャート。
【図２２】図２１の動作に対応したファクシミリ装置ＦＸの処理の一例を示したフローチャート。
【図２３】図２１の動作に対応した構内交換機ＰＸの処理の一例を示したフローチャート。
【図２４】Ｖ．８信号を利用した通信情報交換手順の他の例を示したタイムチャート。
【図２５】図２４の動作に対応したファクシミリ装置ＦＸの処理の一例を示したフローチャート。
【図２６】図２４の動作に対応した構内交換機ＰＸの処理の一例を示したフローチャート。
【符号の説明】
【０１８４】
ＦＡ１〜ＦＡｎ，ＦＢ１〜ＦＢｎ，ＦＸ  ファクシミリ装置
ＰＡ，ＰＢ，ＰＸ  構内交換機
ＮＴ  ＩＰ網
【図１】
2008131146.tif 000003
【図２】
2008131146.tif 000004
【図３】
2008131146.tif 000005
【図４】
2008131146.tif 000006
【図５】
2008131146.tif 000007
【図６】
2008131146.tif 000008
【図７】
2008131146.tif 000009
【図８】
2008131146.tif 000010
【図９】
2008131146.tif 000011
【図１０】
2008131146.tif 000012
【図１１】
2008131146.tif 000013
【図１２】
2008131146.tif 000014
【図１３】
2008131146.tif 000015
【図１４】
2008131146.tif 000016
【図１５】
2008131146.tif 000017
【図１６】
2008131146.tif 000018
【図１７】
2008131146.tif 000019
【図１８】
2008131146.tif 000020
【図１９】
2008131146.tif 000021
【図２０】
2008131146.tif 000022
【図２１】
2008131146.tif 000023
【図２２】
2008131146.tif 000024
【図２３】
2008131146.tif 000025
【図２４】
2008131146.tif 000026
【図２５】
2008131146.tif 000027
【図２６】
2008131146.tif 000028